(57)【要約】      （修正有）【課題】昼間は景観や環境に配慮しながらも、夜間には視覚者に情報を有効に提供することのできる、可動式広告看板装置を提供する。【解決手段】文字情報及び／又は画像情報を表示する表示装置１と、表示装置１に接続されている上下移動主体及びガイド柱２２からなる多段式ポールと、多段式ポールに昇降切替電磁弁２６を介して接続されているモーター油ポンプ２５とを備える。モーター油ポンプ２５の回転と昇降切替電磁弁２６の昇降切替により、多段式ポールを上昇又は下降させ、多段式ポールに接続されている表示装置１を上昇又は下降させる。【選択図】図１
0003155427.tif 000002
【実用新案登録請求の範囲】
【請求項１】
文字情報及び／又は画像情報を表示する表示装置と、前記表示装置を格納又は収納する手段と、を備えたことを特徴とする、可動式広告看板装置。
【請求項２】
表示装置が、液晶ディスプレー、プラズマディスプレー、有機ＥＬディスプレー又はＬＥＤディスプレーである、請求項１記載の可動式広告看板装置。
【考案の詳細な説明】
【技術分野】
【０００１】
本考案は、いわゆる電子看板と呼ばれる可動式広告看板装置に関するものである。
【背景技術】
【０００２】
看板と称される物には、公的な看板と私的な看板とがある。日常、私達の生活にとって深い関わりがあり、大変重大な意義がある。
なかでも、商品や企業の広告、宣伝用の屋外広告看板は、電柱をはじめ、ビルや建物の屋上など、或いは道路際や線路の周囲の田畑などに設置されている。
【０００３】
しかしながら、現在設置されている屋外広告看板は、できるだけ多くの人の目につくように大きく、しかも良く目立つ場所へ優先的に設置されているため、田園風景などでは、大切な景観を損なったり、周りの環境へ悪影響を与える事例が多くみられる。
すなわち、これまで屋外広告看板は、電柱に取り付けたり、建物に固体したり、或いは独立した看板として、視覚者の目線を最も重視して設置されており、景観や環境に対する配慮が十分ではなかった。
【考案の概要】
【考案が解決しようとする課題】
【０００４】
本考案は、上記従来の問題を解決するためになされたものであり、その目的とするところは、昼間は景観や環境に配慮しながらも、夜間には視覚者に情報を有効に提供することのできる、可動式広告看板装置を提供することにある。
【課題を解決するための手段】
【０００５】
前記目的を達成するために本考案者らは鋭意検討を重ねた結果、景観や環境を考慮して、固定的な看板の設置を減少させる意味から可動式とすることにより、主に夜間の空間を活用した新しい型の屋外広告看板が提供できることを知見し、この知見に基づいて本考案を完成するに到った。
即ち、請求項１に係る本考案は、文字情報及び／又は画像情報を表示する表示装置と、前記表示装置を格納又は収納する手段と、を備えたことを特徴とする、可動式広告看板装置を提供するものである。
また、請求項１に係る本考案は、表示装置が、液晶ディスプレー、プラズマディスプレー、有機ＥＬディスプレー又はＬＥＤディスプレーである、請求項１記載の可動式広告看板装置を提供するものである。
【考案の効果】
【０００６】
本考案は、昼間は景観や環境に配慮しながらも、夜間には視覚者に情報を、有効、且つタイムリーに提供することができるという優れた効果を奏する。
すなわち、本考案によれば、常設（昼夜固定式）の屋外広告看板を有効に進化させ、夜間の空間を活用した新しい型の屋外広告看板を提供することができる。
【図面の簡単な説明】
【０００７】
【図１】本考案の一態様を示す説明図である。
【図２】図１を側面から見た状態を示す説明図である。
【図３】本考案の別の態様を示す説明図である。
【考案を実施するための形態】
【０００８】
請求項１に係る本考案は、可動式広告看板装置に関し、文字情報及び／又は画像情報を表示する表示装置と、前記表示装置を格納又は収納する手段と、を備えたことを特徴とするものである。
【０００９】
以下、本考案を図面により詳細に説明する。
図１は、本考案の一態様を示す説明図であり、図２は、図１を側面から見た状態を示す説明図である。
図中、符号１は、可動式広告看板装置である。
可動式広告看板装置は、文字情報及び／又は画像情報を表示する表示装置１と、前記表示装置を格納又は収納する手段２と、を備えたものである。
【００１０】
ここで表示装置１は、文字情報及び／又は画像情報を表示する装置であって、具体的には、例えば液晶ディスプレー、プラズマディスプレー、有機ＥＬディスプレー、ＬＥＤディスプレー、プロジェクタースクリーンなどからなる。特に、電子看板として画像が鮮明なことから、液晶ディスプレー、プラズマディスプレー、有機ＥＬディスプレー又はＬＥＤディスプレーが好ましい。
【００１１】
上記のような表示装置１に、文字情報及び／又は画像情報を表示させるために、前記表示装置に文字情報及び／又は画像情報を配信する情報配信・制御手段が別途備えられている。画像情報としては、静止画、動画のいずれも用いられ、さらに文字情報を組み合わせたものであってもよい。
前記表示装置に文字情報及び／又は画像情報を配信する情報配信・制御手段としては、ネットワーク経由でサーバーと結び情報を配信する手段や、各種メモリーカード、ＤＶＤ、ＣＤ−Ｒ、ＶＴＲなどの記録メディアにて情報を配信する手段などが挙げられ、本考案においては特に制限なく、いずれも採用することができる。
なお、表示装置１として、プロジェクタースクリーンを用いる場合には、表示装置に文字情報及び／又は画像情報を配信する情報配信・制御手段としては、プロジェクターが組み合わせられることになる。
【００１２】
本考案の可動式広告看板装置は、前記表示装置１を格納又は収納する手段２を備えている。なお、符号３は、雨や霧を避けるための庇である。この庇３は、本考案の可動式広告看板装置全体を地中（地下）に格納させる場合には、本考案の可動式広告看板装置全体を覆う、覆いの役割を兼ねている。
【００１３】
前記表示装置１を格納又は収納する手段２としては、多段式ポールを採用したものであってもよいし、パンタグラフ構造を採用したものであってもよい。
前記表示装置１を格納又は収納する手段２としてより具体的には、図１、２に示すタイプのものと、図３に示すタイプのものとがある。
【００１４】
まず図１、２に示すタイプのものについて説明する。図１、２では、表示装置１を上昇・下降させて、地中（地下）に格納させるようにしたものを示しているが、これに限定されるものではなく、何かの物陰に収納させるようにしたものであってもよい。
なお、地中（地下）に格納させるようにした場合には、格納終了後に確実に地面（ＧＬ）を密閉する。
【００１５】
図中、符号２１は上下移動主柱であり、符号２２は、表示装置１をガイドしているガイド柱である。図１では、ガイド柱２２は左右一対備えられているものを示している。
また、図中、符号２３は油圧用油タンク、符号２４は配管パイプであって、符号２４Ａが柱下げ用配管パイプを示しており、符号２４Ｂが柱上げ用配管パイプを示している。さらに、符号２５はモーター油ポンプ、符号２６は昇降切替電磁弁、符号２７は柱固定台をそれぞれ示している。
【００１６】
図１、２に示すタイプのものの場合、油圧用油タンク２３に貯蔵されている油の油圧を用いて、表示装置１を上昇・下降させて、地中（地下）に格納させるようにしたものを示しているが、勿論、油圧ではなく、空気圧や電動モーターなどにより、表示装置１を上昇・下降させるようにしたものであってもよい。
表示装置１を上昇させるには、まずモーター油ポンプ２５を回転させ、昇降切替電磁弁２６の上昇スイッチを入れる。すると表示装置１が、これに付随する上下移動主柱２１やガイド柱２２などと共に、定位置（予め表示装置１の表示位置として設定した位置）まで上昇して停止する。同時に、モーター油ポンプ２５も停止する。
逆に、表示装置１を下降させるには、モーター油ポンプ２５を回転させ、昇降切替電磁弁２６の下降スイッチを入れる。すると表示装置１が、これに付随する上下移動主柱２１やガイド柱２２などと共に、定位置（予め表示装置１の格納位置又は収納位置として設定した位置）まで下降して停止する。同時に、モーター油ポンプ２５も停止する。
なお、試運転及びメンテナンスのときは、手動にしてスイッチ動作とする。これ以外のときは自動運転に切り替えることにより、上昇・下降は全て自動運転となる。自動運転の運転制御は、公知の制御システムにより行えばよい。
【００１７】
次に、格納又は収納する手段２として、図３に示すタイプのものについて説明する。
図３は、いわばパンタグラフ式のものである。図３中、符号２８はパンタグラフ式のアームであり、符号２９はモーターである。
図３に示すタイプのものの場合、モーター２９により、パンタグラフ式のアーム２８を動作させ、表示装置１を上昇又は下降させて、地下に格納したり、或いは壁や窓に取り付けて、その陰に収納する。
【００１８】
なお、表示装置１として、プロジェクタースクリーンを用いる場合、例えば支柱を組み、これを上昇・下降させる方式のものや、パンタグラフ式のものを上昇・下降させる方式のものなどが用いられる。
プロジェクタースクリーンは、専用の収納具（収納箱）へ巻き取るようにするとよい。
【００１９】
本考案の可動式広告看板装置は、田、畑、ビルとビルとの間の空間などをはじめ、あらゆる空間に設置される。
なお、この可動式広告看板装置は、特に屋外で使用するため、環境に対する配慮から、昼間の稼動は控える。このため、例えば、光センサーを用い、暗くなったら自動的に稼動し、明るくなったら稼動を停止するようにするとよい。
すなわち、光センサーを用い、暗くなったら自動的に表示装置１が表示位置まで上昇し、自動的に表示装置１に、光技術（液晶ディスプレー、プラズマディスプレー、有機ＥＬディスプレー、ＬＥＤディスプレー、プロジェクタースクリーンなど）を用いて、文字情報及び／又は画像情報が表示されるようにし、この逆に、明るくなったら自動的に表示装置１が格納位置又は収納位置まで下降し、自動的に表示装置１に文字情報及び／又は画像情報が表示されないようにすることにより、全自動運転することができる。
また、屋外での使用となることから、雨降りセンサーを用いて、例えば一定値を超える雨量の場合には稼動を停止させ、地中（地下）に格納したり、或いは物陰に収納したりするようにして、雨や嵐などに対して、装置の転倒防止や安全性に配慮したものとされている。
【００２０】
本考案の可動式広告看板装置は、基本的には昼間は、景観や環境に配慮して、地下に格納したり、或いは壁や窓に取り付けて、その陰に収納しておかれる。その一方、夜間になれば、地下などから出現させて、目的とする広告、宣伝機能を発揮させることになる。
夜間、突然現れた映像によって、その宣伝効果は極めて高い。例えば、車窓から見える位置に設置した場合、昼間は、景観や環境に配慮して、地下に格納したり、或いは壁や窓に取り付けて、その陰に収納しておく一方、夜間になれば、地下などから出現させて、目的とする広告、宣伝機能を高く発揮させることができる。
また、映像時間について、インターバル方式を採用することにより、より多くの広告スポンサーの期待に応えることができる。
【００２１】
従って、本考案によれば、昼間は景観や環境に配慮しながらも、夜間には視覚者に情報を有効に提供することのできる可動式広告看板装置が提供される。
すなわち、本考案によれば、常設（昼夜固定式）の屋外広告看板を有効に進化させ、夜間の空間を活用した新しい型の屋外広告看板が提供される。
本考案は、近代的屋外広告看板塔として、視覚者に情報を提供すると同時に、その地域の景観や環境を守る立場から、住民や地域からも賛同が得られるものと期待される。
【符号の説明】
【００２２】
１：表示装置
２：表示装置を格納又は収納する手段
３：庇
２１：上下移動主柱
２２：ガイド柱
２３：油圧用油タンク
２４：配管パイプ
２４Ａ：柱下げ用配管パイプ
２４Ｂ：柱上げ用配管パイプ
２５：モーター油ポンプ
２６：昇降切替電磁弁
２７：柱固定台
２８：アーム
２９：モーター
【図１】
0003155427.tif 000003
【図２】
0003155427.tif 000004
【図３】
0003155427.tif 000005
【手続補正書】
【提出日】平成21年9月2日(2009.9.2)
【手続補正１】
【補正対象書類名】実用新案登録請求の範囲
【補正対象項目名】全文
【補正方法】変更
【補正の内容】
【実用新案登録請求の範囲】
【請求項１】
文字情報及び／又は画像情報を表示する表示装置と、  前記表示装置に接続されている上下移動主体及びガイド柱からなる多段式ポールと、 前記多段式ポールに昇降切替電磁弁を介して接続されているモーター油ポンプとを備え、 前記モーター油ポンプの回転と前記昇降切替電磁弁の昇降切替により、 前記多段式ポールを上昇又は下降させ、 前記多段式ポールに接続されている前記表示装置を上昇又は下降させるようにした、可動式広告看板装置。
【請求項２】
文字情報及び／又は画像情報を表示する表示装置と、 前記表示装置に接続されているパンタグラフ構造のアームと、 前記アームに接続されているモーターとを備え、 前記モーターにより前記アームを動作させ、 前記アームに接続されている前記表示装置を上昇又は下降させるようにした、可動式広告看板装置。
【手続補正２】
【補正対象書類名】明細書
【補正対象項目名】０００８
【補正方法】変更
【補正の内容】
【０００８】  請求項１に係る本考案は、  文字情報及び／又は画像情報を表示する表示装置と、  前記表示装置に接続されている上下移動主体及びガイド柱からなる多段式ポールと、 前記多段式ポールに昇降切替電磁弁を介して接続されているモーター油ポンプとを備え、 前記モーター油ポンプの回転と前記昇降切替電磁弁の昇降切替により、 前記多段式ポールを上昇又は下降させ、 前記多段式ポールに接続されている前記表示装置を上昇又は下降させるようにした、可動式広告看板装置である。 請求項２に係る本考案は、 文字情報及び／又は画像情報を表示する表示装置と、 前記表示装置に接続されているパンタグラフ構造のアームと、 前記アームに接続されているモーターとを備え、 前記モーターにより前記アームを動作させ、 前記アームに接続されている前記表示装置を上昇又は下降させるようにした、可動式広告看板装置である。